【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
店舗において、関連するパッケージ特定価格及び関連する特別のパッケージ特定価格を有するパッケージの値下げ札付けのためのプロセシング・ユニットを利用することにおいて、下記のステップを備える方法：
（ａ）プロセシング・ユニットにおいてパッケージに関して特定する情報を受取り；
（ｂ）前記パッケージの割引を特定し、
（ｃ）値下げしたパッケージ特定価格及び値下げした特別のパッケージ特定価格の両方を設定するために前記割引を適用し、且つ
（ｄ）前記プロセシング・ユニットに連結したプリンターにより、（１）スキャン可能割引バーコード、（２）前記値下げしたパッケージ特定価格及び（３）前記値下げした特別のパッケージ特定価格の各々をラベルに印刷することを含んで、少なくとも一つの割引ラベルを印刷する。
【請求項２】
前記値下げされたパッケージ特定価格と比べた前記値下げされた特別のパッケージ特定価格の節約額を決めるステップ及び（ｄ）前記節約額を前記割引ラベルに印刷することを含むステップをさらに含む請求項１に記載された方法。
【請求項３】
前記スキャン可能割引バーコードが前記値下げされたパッケージ特定価格を組み込んでいる請求項１に記載された方法。
【請求項４】
前記スキャン可能割引バーコードが前記値下げされた特別のパッケージ特定価格を組み込んでいる請求項３に記載された方法。
【請求項５】
ユニット重量毎の値下げされた価格及びパッケージのユニット重量毎の値下げされた特別価格の両方を決定し、ステップ（ｄ）において前記ユニット重量毎の値下げされた価格及び前記パッケージのユニット重量毎の値下げされた特別価格の両方を前記割引ラベルに印刷する、各ステップをさらに含む請求項１に記載された方法。
【請求項６】
前記割引ラベルを前記パッケージに貼付するステップをさらに含む請求項１に記載された方法。
【請求項７】
ステップ（ｂ）及び（ｃ）の両方を前記プロセシング・ユニット内で実行することを備える請求項１に記載された方法。
【請求項８】
前記プロセシング・ユニットがリモート・コンピューターに対する通信リンクを含み、ステップ（ｂ）及び（ｃ）が前記リモート・コンピューターにより実行されることを備える請求項１に記載された方法。
【請求項９】
ステップ（ｃ）が前記値下げされたパッケージ特定価格を設定するために前記店舗のポイントオブセールス計算アルゴリズムを利用することを含む請求項１に記載された方法。
【請求項１０】
店舗において、関連するパッケージ特定価格、関連する特別のパッケージ特定価格、関連するユニット重量あたりの価格及び関連するユニット重量あたりの特別の価格を有するパッケージの値下げ札付けのためのスキャナーを含むプロセシング・ユニットを利用することにおいて、下記のステップを備える方法：
（ａ）プロセシング・ユニットにおいて前記パッケージに関して特定する情報を把握するために前記パッケージをスキャンし；
（ｂ）前記パッケージの割引を特定し、
（ｃ）値下げしたパッケージ特定価格を設定するために前記パッケージ特定価格に前記割引を適用し、
（ｄ）値下げした特別のパッケージ特定価格を設定するために前記特別のパッケージ特定価格に前記割引を適用し、および
（ｅ）前記プロセシング・ユニットに連結したプリンターにより、（１）前記値下げしたパッケージ特定価格を組み込んでいるスキャン可能割引バーコード、（２）前記値下げしたパッケージ特定価格及び（３）前記値下げした特別のパッケージ特定価格の各々をラベルに印刷することを含んで、少なくとも一つの割引ラベルを印刷する。
【請求項１１】
ステップ（ｂ）、（ｃ）及び（ｄ）をすべて前記プロセシング・ユニット内で実行することを特徴とする請求項１０に記載された方法。
【請求項１２】
前記スキャニングが（ｉ）前記パッケージのバーコードをスキャンする、及び（ii）前記パッケージのＲＦＩＤタグをスキャンする、の少なくとも一つを具備した請求項１０に記載された方法。
【請求項１３】
ステップ（ａ）が前記プロセシング・ユニットの利用者インターフェイスを介して少なくとも手動で情報を前記プロセシング・ユニットに入力することを含む請求項１０に記載された方法。
【請求項１４】
前記プロセシング・ユニットがリモート・コンピューターに対する通信リンクを含み、ステップ（ａ）が前記通信リンクを介して前記特定する情報を前記コンピューターに転送し、ステップ（ｂ）、（ｃ）及び（ｄ）が前記リモート・コンピューターにより実行され、且つ前記コンピューターが前記値下げされたパッケージ特定価格及び値下げされた特別のパッケージ特定価格を前記通信リンクを介して前記プロセシング・ユニットに送信することを備えた請求項１０に記載された方法。
【請求項１５】
ステップ（ａ）の把握された特定する情報が前記パッケージ特定価格及び商品特定要素を含むことを特徴とする請求項１４に記載された方法。
【請求項１６】
前記値下げされたパッケージ特定価格と比べた前記値下げされた特別のパッケージ特定価格の節約額を決めるステップ及び（ｅ）前記節約額を前記割引ラベルに印刷することを含むステップを含む請求項１０に記載された方法。
【請求項１７】
前記パッケージのためのユニット重量あたりの値下げされた価格を決めるステップ及び（ｅ）前記ユニット重量あたりの値下げされた価格を前記割引ラベルに印刷することを含むステップを含む請求項１６に記載された方法。
【請求項１８】
前記パッケージのユニット重量あたりの値下げされた特別の価格を決めるステップ及び（ｅ）前記ユニット重量あたりの値下げされた特別の価格を前記割引ラベルに印刷することを含むステップを含む請求項１７に記載された方法。
【請求項１９】
前記スキャン可能割引バーコードが前記値下げされた特別のパッケージ特定価格を組み込んでいる請求項１０に記載された方法。
【請求項２０】
店舗において、関連するパッケージ特定価格、関連する特別のパッケージ特定価格、関連するユニット重量あたりの価格及び関連するユニット重量あたりの特別の価格を有するパッケージの値下げ札付けすることにおいて、下記のステップを備える方法：
（ａ）前記パッケージ特定価格を特定し；
（ｂ）前記ユニット重量あたり価格を特定し；
（ｃ）前記ユニットあたり特別価格を特定し；
（ｄ）前記パッケージのためのパーセント割引を特定し；
（ｅ）値下げしたパッケージ特定価格を設定するために前記パーセント割引を前記パッケージ特定価格に適用し；
（ｆ）前記値下げしたパッケージ特定価格及び前記ユニット重量あたり価格から前記パッケージの特別値下げ重量を決め；
（ｇ）値下げした特別のパッケージ特定価格を設定するために前記特別価格値下げ重量に前記ユニット重量あたりの特別の価格を掛け合わせ；且つ
（ｈ）（１）少なくとも前記値下げされたパッケージ特定価格を組み込んでいるスキャン可能割引バーコード、（２）前記値下げされたパッケージ特定価格、及び（３）前記値下げされた特別のパッケージ特定価格の各々をラベルに印刷することを含んで少なくとも一つの割引ラベルを印刷する。
【請求項２１】
さらに前記パッケージに対して前記割引ラベルを貼付することを備える請求項２０に記載された方法。
【請求項２２】
前記値下げされたパッケージ特定価格と前記値下げされた特別のパッケージ特定価格との差額を決定し、ステップ（ｈ）において前記差額を前記割引ラベルに印刷することをさらに備えた請求項２０に記載された方法。
【請求項２３】
ステップ（ａ）から（ｇ）までの少なくとも二つをプロセッサーを含むポータブル・ユニットを利用して実行することを特徴とする請求項２０に記載された方法。
【請求項２４】
前記パーセント割引がセットアップ・シークエンス中に前記ポータブルユニット内で事前に設定されることを特徴とする請求項２３に記載された方法。
【請求項２５】
前記パーセント割引が前記ポータブルユニットの手動インターフェイスを介して入力されることを特徴とする請求項２３に記載された方法。
【請求項２６】
前記ポータブルユニットがバーコード・スキャナー及び関連するプリンターを含むことを特徴とする請求項２３に記載された方法。
【請求項２７】
前記パッケージがその上にバーコード・ラベルを有し、前記バーコード・ラベルは、その中に商品特定要素を組み入れているスキャン可能バーコードを含み、前記ポータブル・ユニットは前記商品特定要素を受取るために前記スキャン可能バーコードをスキャンし、ステップ（ｄ）で前記パーセント割引が前記商品特定要素に基づいた通信リンクを介して店舗コンピューター・システムから前記ポータブル・ユニットに送信されることを特徴とする請求項２６に記載された方法。
【請求項２８】
前記パッケージがその上にバーコード・ラベルを有し、前記バーコード・ラベルは前記パッケージ特定価格を組み込んでいるスキャン可能バーコードを含み、ステップ（ａ）において前記パッケージ特定価格は前記パッケージの前記スキャン可能バーコードをスキャンする前記ポータブル・ユニットにより受取られることを特徴とする請求項２６に記載された方法。
【請求項２９】
前記スキャン可能バーコードは商品特定要素を組み込んでいて、前記ポータブル・ユニットは前記スキャン可能バーコードのスキャニングを通して前記商品特定要素を受取り、ステップ（ｂ）及び（ｃ）がポータブル・ユニットが前記商品特定要素に基づいた店舗コンピューター・システムからワイアレス通信を介して前記ユニット重量あたり価格及び前記ユニット重量あたり特別価格を受取ることを含む請求項２８に記載された方法。
【請求項３０】
ステップ（ｈ）において前記割引ラベルに印刷するためにユニット重量毎の値下げされた価格及びパッケージのユニット重量毎の値下げされた特別価格の両方を決定することをさらに含む請求項２０に記載された方法。
【請求項３１】
ステップ（ｂ）及び（ｃ）において、利用者が前記ポータブル・ユニットの手動インターフェイスを通して前記ユニット重量あたり価格及び前記ユニット重量あたり特別価格を入力することを特徴とする請求項２０に記載された方法。
【請求項３２】
ステップ（ｆ）及び（ｇ）のそれぞれにおいて、前記店舗のポイント・オブ・セールス特別価格計算アルゴリズムと共に概数技術を利用することを特徴とする請求項２０に記載された方法。
【請求項３３】
コンピューター読取可能記憶装置、及び記憶装置に記憶されると共に演算装置により実行可能なパッケージ値下げプログラムを備えるパッケージ値下げシステムにおいて、前記パッケージ値下げプログラムはパッケージ特定価格、ユニット重量あたり価格、ユニット重量あたりの特別の価格及びパーセント割引に基づいて下記のステップが実行される特別の価格値下げモードを少なくとも有するシステム：
（ａ）値下げされたパッケージ特定価格を設定するために前記パーセント割引を前記パッケージ特定価格に適用する；
（ｂ）前記値下げされたパッケージ特定価格及び前記ユニット重量あたり価格から特別の値下げ重量を決定する；
（ｃ）値下げした特別のパッケージ特定価格を設定するために前記特別の価格値下げ重量に前記ユニット重量あたり特別の価格を掛ける；及び
（ｅ）（１）その上に前記値下げしたパッケージ特定価格を組み込んだスキャン可能割引バーコード、（２）その上に印刷された前記値下げしたパッケージ特定価格及び（３）その上に印刷された前記値下げした特別のパッケージ特定価格を有する少なくとも一つの割引ラベルを印刷するためのラベル印刷機の印刷操作用の印刷仕様データを作成する。
【請求項３４】
コンピューター読取可能記憶装置、及び記憶装置に記憶されると共に演算装置により実行可能なパッケージ値下げプログラムを備えるパッケージ値下げシステムにおいて、前記パッケージ値下げプログラムは少なくとも通常値下げモード及び特別の価格値下げモードを有し、前記通常値下げモードはパーセント割引及び金銭払い割引を含む少なくとも二つの割引タイプから選択された一つを使って値下げ操作が実行されることを許容し、前記特別の価格値下げモードはパーセント割引を使うことだけで値下げ操作を実行することを許容するシステム。
【請求項３５】
前記パッケージ値下げプログラムは前記通常値下げモードにおいて複数の値下げ操作をする前に一回前記割引タイプの選択のためにコンフィグレートされることを特徴とする請求項３４に記載されたシステム。
【請求項３６】
前記パッケージ値下げプログラムは前記通常値下げモードにおいて全ての値下げ操作をする前に前記割引タイプの選択のためにコンフィグレートされることを特徴とする請求項３４に記載されたシステム。
【請求項３７】
パッケージ特定価格及び特別のパッケージ特定価格の両方を含む商品のある特定の店舗のための値下げ操作を実行するコンピューター・プログラムをコンフィグレートする方法であって；前記ある特定の店舗のポイント・オブ・セールス特別価格計算アルゴリズムを特定し；前記ポイント・オブ・セールス特別価格計算アルゴリズムを前記コンピューター・プログラムの少なくとも一つの値下げモードに組み入れることを含む方法。
【請求項３８】
値下げされたパッケージ特定価格が設定された後にだけ値下げ操作中に前記組み入れられた特別の価格計算アルゴリズムを実行するように前記コンピューター・プログラムをコンフィグレートすることをさらに備えた請求項３７に記載された方法。